(57)【要約】【課題】  堅牢で製造容易な普通の椅子と揺り椅子との製造転用が容易な椅子の提供。【解決手段】本発明は、同形の２本のリングを、互いのリングの中心点が一致するように近接させ、互いのリングの円形面がX字状に交差するように組んで脚部としたことを特徴とする。又、本発明は、X字状に組まれた２本のリングにおいて、接地側の２つのリングの下部側弧部を揺動脚としたことを特徴とする。又、本発明は、２つのリングの下部側弧部の各々両端側に揺動を阻止する揺動阻止部を設けて揺動範囲を規制したことを特徴とする。又、本発明は、２つのリングの下部側弧部の各々両端側に設けられる揺動阻止部は、各々の弧部の両端側或いは一端側において、当該弧部の延在方向に摺動自在に構成して接地する弧部の長さを調整可能としたことを特徴とする。【選択図】        図１
2009219570.tif 000002
【特許請求の範囲】
【請求項１】
同形の２本のリングを、互いのリングの中心点が一致するように近接させ、互いのリングの円形面がX字状に交差するように組んで脚部としたことを特徴とする
椅子（＝不動椅子+揺り椅子）。
【請求項２】
X字状に組まれた２本のリングにおいて、接地側の２つのリングの下部側弧部を揺動脚としたことを特徴とする請求項１に記載の椅子（＝揺り椅子）。
【請求項３】
２つのリングの下部側弧部の各々両端側に揺動を阻止する揺動阻止部を設けて揺動範囲を規制したことを特徴とする
請求項２に記載の椅子（＝揺り椅子）。
【請求項４】
２つのリングの下部側弧部の各々両端側に設けられる揺動阻止部は、
各々の弧部の両端側或いは一端側において、当該弧部の延在方向に摺動自在に構成して接地する弧部の長さを調整可能としたことを特徴とする
請求項２に記載の椅子（＝揺り椅子）。
【請求項５】
X字状に組まれた２本のリングの２つの交差点を通る交差軸より上部側に椅子の座部が設置されることを特徴とする請求項１乃至請求項４の何れかに記載の椅子（＝不動椅子+揺り椅子）。
【請求項６】
脚部を除く椅子本体を構成する各構成部において、座部と背部、背部と頭部、座部と脚乗せ部、脚乗せ部と足先乗せ部、との少なくとも何れかが屈曲自在に構成されたことを特徴とする請求項１乃至請求項５の何れかに記載の椅子（＝不動椅子+揺り椅子）。
【請求項７】
X字状に組まれた２本のリングの接地側の弧部とは反対側に位置する２つのリングの上部側弧部を肘掛部としたことを特徴とする
請求項１乃至請求項６の何れかに記載の椅子（＝不動椅子+揺り椅子）。
【請求項８】
リングは輪状に組立可能な複数の弧部から成ることを特徴とする
請求項１乃至請求項７の何れかに記載の椅子（＝不動椅子+揺り椅子）。
【請求項９】
リングはパイプであり、輪状に組立可能な複数の弧状パイプ部から成ることを特徴とする
請求項１乃至請求項８の何れかに記載の椅子（＝不動椅子+揺り椅子）。
【請求項１０】
脚部を構成する２本のリングと椅子本体とは組立分解自在な構成であることを特徴とする請求項１乃至請求項９の何れかに記載の椅子（＝不動椅子+揺り椅子）。
【発明の詳細な説明】
【技術分野】
【０００１】
本発明は、２本のリング部材を脚部としたことを特徴とする椅子、特に、揺り椅子に関するものである。
【背景技術】
【０００２】
従来の揺り椅子は、前後に揺れるように、脚部の接地側には普通の揺動しない椅子には用いられていない弧状接地部が設けられ、且つ又、揺動に耐えるように普通の椅子以上に堅牢な構成とされていた。
【発明の開示】
【発明が解決しようとする課題】
【０００３】
しかし、従来のような構造の揺り椅子では、弧状接地部というような特殊部材を必要とする上、堅牢な構成にしなければならず、必然的に、材料コストが嵩み、製造にも手間と時間とを要するという課題があった。
【０００４】
本発明は、上記課題の解決を目的とし、弧状接地部という特殊部材を必要とせず、しかも必然的に堅牢な構成となり、製造容易で安価な揺り椅子の提供を目的とする。
【課題を解決するための手段】
【０００５】
請求項１の椅子の発明は、同形の２本のリングを、互いのリングの中心点が一致するように近接させ、互いのリングの円形面がX字状に交差するように組んで脚部としたことを特徴とする。
【０００６】
請求項２の発明は、請求項１に記載の椅子において、X字状に組まれた２本のリングにおいて、接地側の２つのリングの下部側弧部を揺動脚としたことを特徴とする。
【０００７】
請求項３の発明は、請求項２に記載の椅子において、２つのリングの下部側弧部の各々両端側に揺動を阻止する揺動阻止部を設けて揺動範囲を規制したことを特徴とする。
【０００８】
請求項４の発明は、請求項２に記載の椅子において、２つのリングの下部側弧部の各々両端側に設けられる揺動阻止部は、各々の弧部の両端側或いは一端側において、当該弧部の延在方向に摺動自在に構成して接地する弧部の長さを調整可能としたことを特徴とする。
【０００９】
請求項５の発明は、請求項１乃至請求項４の何れかに記載の椅子において、X字状に組まれた２本のリングの２つの交差点を通る交差軸より上部側に椅子の座部が設置されることを特徴とする。
【００１０】
請求項６の発明は、請求項１乃至請求項５の何れかに記載の椅子において、脚部を除く椅子本体を構成する各構成部において、座部と背部、背部と頭部、座部と脚乗せ部、脚乗せ部と足先乗せ部、との少なくとも何れかが屈曲自在に構成されたことを特徴とする。
【００１１】
請求項７の発明は、請求項１乃至請求項６の何れかに記載の椅子において、X字状に組まれた２本のリングの接地側の弧部とは反対側に位置する２つのリングの上部側弧部を肘掛部としたことを特徴とする。
【００１２】
請求項８の発明は、請求項１乃至請求項７の何れかに記載の椅子において、リングは輪状に組立可能な複数の弧部から成ることを特徴とする。
【００１３】
請求項９の発明は、請求項１乃至請求項８の何れかに記載の椅子において、リングはパイプであり、輪状に組立可能な複数の弧状パイプ部から成ることを特徴とする。
【００１４】
請求項１０の発明は、請求項１乃至請求項９の何れかに記載の椅子において、脚部を構成する２本のリングと椅子本体とは組立分解自在な構成であることを特徴とする。
【発明の効果】
【００１５】
請求項１乃至請求項１０の各発明によれば、何れも、脚部が単純な構成であるにも拘らず堅牢で、製造容易で安価な椅子を提供することができる。
【００１６】
請求項２乃至請求項１０の各発明によれば、何れも、従来のような弧状接地部という特殊部材を必要とせず、単純で堅牢な構成で、製造容易で安価な揺り椅子を提供できる。
【００１７】
又、請求項２乃至請求項１０の各発明によれば、何れも、簡単な装置（後述の摺動自在な揺動阻止部材）の設置状態の如何で、極めて容易に普通の不動の椅子としても転用することがしても提供できる。
【００１８】
又、請求項１０の発明によれば、極めて容易に普通の椅子或いは揺り椅子に転用できる有用な椅子を、分解して容易に配送することができる。
【発明を実施するための最良の形態】
【００１９】
以下、本発明を実施するための最良の形態を示す揺り椅子の実施例を図に基づいて説明する。
図１は揺り椅子の全体斜視図、図２は側面図、図３は背面図、図４は正面図、図５は椅子の表面にクッション部材を施した状態を示す斜視図である。
【実施例】
【００２０】
図１において、実施例の図に示めす揺り椅子１０は、その脚部２０を除く椅子本体が、頭部１２、背部１３、座部１４、脚乗せ部１５、足先乗せ部１６を供えて、頭から足先までの全身を受ける構成としてあるが、必ずしもこのように全身を受ける構成（図示せず）とする必要はなく、例えば座部１４のみ、或いは、座部１４と背部１３のみというように、椅子として機能し得る最小の構成部を備えた構成であればよい。
【００２１】
又、図示の椅子本体（１２〜１６）では、背部１３と頭部１２との間が屈曲自在な構成とされており、背部１３に対して頭部１２を任意の角度に調整可能な構成としているが、これも必ずしもこの実施例に示す背部１３と頭部１２との間に限らず、例えば、背部１３と座部１４、座部１４と脚乗せ部１５、脚乗せ部１５と足先乗せ部１６との間の、全て或いは何れかの箇所を、任意の角度に調整できる屈曲自在な構成（図示せず）とすることもできる。
【００２２】
さて、図示の揺り椅子１０の脚部２０は、同径同形の２本の金属パイプ製の真円のリング２０Ａ.２０Ｂの２本を組み合わせた構成している。
組合せは、互いのリング２０Ａ．２０Ｂの一方が他方のリング穴を通るよう鎖連結状に連結させて、互いのリング２０Ａ．２０Ｂの中心点Ｐが一致するようにできるだけ近接させ、互いのリング２０Ａの円形面とリング２０Ｂの円形面（リングの輪とその中心を面領域含む円形面）が互いにX字状に交差するように組んである。
【００２３】
X字状の交差は、互いのリング２０Ａ．２０Ｂが交差する２つの交差点２０Ｘ.２０Ｙとリング２０Ａ、２０Ｂの中心Ｐ（この実施例では完全ではなくほぼ中心に位置する点）が、図２に示すように、直線上に位置するように交差させることをいう。この交差点では両リング２０Ａ．２０Ｂの交差状態を固定化させるため、適宜な固定連結手段Ｘ.Ｙを用いて、組立分解自在に連結する固定連結手段を用いれば良い。
以下、前記した両リング２０Ａ．２０Ｂの交差点２０Ｘ.２０Ｙとリングの中心Ｐを通る直線を交差軸（Ｘ−Ｙ）ともいう。
【００２４】
このようにX字状に組まれた２本のリング２０Ａ．２０Ｂの接地側である下部側弧部１７.１７、この実施例では、固定連結手段Ｘと固定連結手段Ｙとの間の弧１７.１７を、固定連結手段Ｘと固定連結手段Ｙとを揺動規制手段としてのストッパとして兼用して、実線で示すように床面（図示せず）に対して揺動可能な揺動脚（揺動脚部）としている。
【００２５】
しかし、図示の想像線で示すように、揺動脚（揺動脚部）としての下部側弧部１７.１７の各々両端側に揺動を阻止する揺動阻止部２１.２１を設けて揺動範囲を下部側弧部１７.１７内において更に小さく（短く）規制し、揺動脚２０の揺動可能範囲を下部側弧部１７.１７内の任意の範囲内に設定できるように構成してもよい。
【００２６】
更にこの場合には、両端側に設けられる揺動阻止部２１.２１は、各々の下部側弧部１７.１７の両端側或いは一端側において、当該弧部１７.１７の延在方向に摺動自在であって任意の位置で固定可能な構成にすることによって、接地する弧部１７.１７の長さ即ち揺動可能範囲（揺れ幅）を、使用者の好みに応じて任意に調整できるように構成してもよい。
【００２７】
更に又、この実施例では揺動阻止部２１.２１を下部側弧部１７.１７が揺動可能になるように弧部１７.１７において相対する間隔が大きくなるように配設してあるが、揺り椅子１０ではない普通の揺動不動な椅子として構成する場合には、例えば、図５に示すように、この下部側弧部１７.１７の形状を、例えば、平らな床面に相応するように平面的な底面を備えた足部２２.２２としたり、下部側弧部の一点とその両端側に配置される一対の足部との３点によって床面に接する構成とすることによって、揺り椅子の構成を、容易に揺動不能な普通の椅子として構成し、互いに迅速に転用させることができる。
【００２８】
このようにして、揺り椅子１０は、X字状に組まれた２本のリング２０Ａ．２０Ｂの２つの交差点Ｘ.Ｙを通る交差軸Ｘ−Ｙより上部側に椅子１０の座部１４が位置するように設置固定されており、接地側の弧部即ち下部側弧部１７.１７とは反対側に位置する２つのリングの上部側弧部１８.１８を肘掛部として兼用させている。
【００２９】
この脚部２０を構成する２本のリング２０Ａ．２０Ｂは、何れのリングとも、輪状に組立可能な複数の弧部（図示せず）で組立分解自在に構成してあり（図示せず）、こうして構成される脚部２０もまた、椅子本体、この実施例では椅子本体を構成する座部１４と、ねじ止め手段（図示せず）を介して組立分解自在に組み付けた構成としてある。
【００３０】
尚、この実施例に示す２本のリング２０Ａ、２０Ｂは、何れも真円の同径リングを鎖状に連結させてあるので円の中心点Ｐを完全一致させることは不能であるが、一方の或いは双方のリング（２０Ａ、２０Ｂ）を他方とは異なるリング、例えば楕円状のリングにしたり、真円ではない異形のリング等にすることによって、双方のリング（２０Ａ、２０Ｂ）の中心点Ｐを一致させた構成（図示せず）とすることもできる。
【００３１】
又、上記の実施例に示すリング２０Ａ．２０Ｂの組合せでは、X字状にすれ違うように交差させているが、衝突するように適宜な連結手段を用いて直結（以下、Ｘ字状直結ともいう）させる構成（図示せず）としてもよい。このように直結させる構成の場合には、２つのリングは全く同径同形とすることができる。
【産業上の利用可能性】
【００３２】
本発明の椅子は実施例では揺り椅子を中心にして説明したが、ゆり椅子に限らず広く一般の椅子として産業上利用することができる。
【図面の簡単な説明】
【００３３】
【図１】揺り椅子の斜視図である。
【図２】揺り椅子の側面図である。
【図３】揺り椅子の背面図である。
【図４】揺り椅子の正面図である。
【図５】揺動不動な椅子の側面図である。
【符号の説明】
【００３４】
１０  揺り椅子
１２  頭部
１３  背部
１４  座部
１７  下部側弧部（揺動脚部）
１８  上部側弧部（肘掛部）
２０  脚部
２０Ａ、２０Ｂ  リング
２０Ｘ.２０Ｙ  連結固定手段（交差部）
２１  揺動阻止部
２２  足部
Ｐ    リングの略中心点
【図１】
2009219570.tif 000003
【図２】
2009219570.tif 000004
【図３】
2009219570.tif 000005
【図４】
2009219570.tif 000006
【図５】
2009219570.tif 000007